(57)【要約】【課題】意図しないＣＭ素材が放送局に搬入される不都合を抑制する。【解決手段】本発明は、ＣＭ素材を所定のＣＭ識別情報に対応付けて素材記憶手段に記憶させる素材管理部１３０と、素材記憶手段に記憶されているＣＭ素材を承認する入力を受付ける承認受付部１４１と、ＣＭ素材が承認されたことをＣＭ管理システムに通知し、オンライン認証情報を取得する承認通知部１４２と、オンライン認証情報をＣＭ識別情報に対応付けて情報記憶手段に記憶させるオンライン認証情報登録部１４３と、オンライン認証情報を含む搬入指示を取得する搬入指示取得部１５１と、搬入指示に含まれるオンライン認証情報に対応付けて記憶されているＣＭ素材を特定し、特定したＣＭ素材を送受信サーバに搬入する搬入部１５２と、情報記憶手段に記憶されている所定のオンライン認証情報を削除する削除部１４４と、を有する処理装置１００を提供する。【選択図】図７
2019212005.tif 000002
【特許請求の範囲】
【請求項１】
ＣＭ（commercial message）素材を取得し、前記ＣＭ素材を所定のＣＭ識別情報に対応付けて素材記憶手段に記憶させる素材管理手段と、
前記素材記憶手段に記憶されている前記ＣＭ素材を承認する入力を受付ける承認受付手段と、
前記ＣＭ素材が承認されたことをＣＭ管理システムに通知し、前記ＣＭ管理システムからオンライン認証情報を取得する承認通知手段と、
前記オンライン認証情報を前記ＣＭ識別情報に対応付けて情報記憶手段に記憶させるオンライン認証情報登録手段と、
前記ＣＭ管理システムから、前記オンライン認証情報を含む搬入指示を取得する搬入指示取得手段と、
前記情報記憶手段に記憶されている情報に基づき、前記搬入指示に含まれる前記オンライン認証情報に対応付けて記憶されている前記ＣＭ素材を特定し、特定した前記ＣＭ素材を送受信サーバに搬入する搬入手段と、
前記情報記憶手段に記憶されている所定の前記オンライン認証情報を削除する削除手段と、
を有する処理装置。
【請求項２】
請求項１に記載の処理装置において、
前記素材管理手段は、
前記素材記憶手段において第１の前記ＣＭ識別情報に対応付けて前記ＣＭ素材が記憶されている状態で、前記第１のＣＭ識別情報に対応付けて前記素材記憶手段に記憶させる新たな前記ＣＭ素材を取得した場合、前記素材記憶手段において前記第１のＣＭ識別情報に対応付けて記憶させる前記ＣＭ素材を新たに取得した前記ＣＭ素材に更新する処理装置。
【請求項３】
請求項２に記載の処理装置において、
前記素材管理手段は、前記素材記憶手段に記憶されている更新前の前記ＣＭ素材を搬入する処理がそれまでに一度でも実行されている場合、前記更新を実行しない処理装置。
【請求項４】
請求項２に記載の処理装置において、
前記素材管理手段は、前記素材記憶手段に記憶されている更新前の前記ＣＭ素材を搬入する処理がそれまでに一度でも実行されている場合、更新してよいか確認するメッセージを出力し、更新してよい旨の入力を受付けた後に前記更新を実行する処理装置。
【請求項５】
請求項２から４のいずれか１項に記載の処理装置において、
前記削除手段は、前記第１のＣＭ識別情報に対応付けて記憶されている前記ＣＭ素材が更新された場合、前記第１のＣＭ識別情報に対応付けて記憶されている前記オンライン認証情報を削除する処理装置。
【請求項６】
請求項１に記載の処理装置において、
前記オンライン認証情報登録手段による前記オンライン認証情報を前記ＣＭ識別情報に対応付けて前記情報記憶手段に記憶させる処理のステータスを前記ＣＭ識別情報毎に管理するステータス管理手段を有し、
前記素材管理手段は、
第１の前記ＣＭ識別情報における前記ステータスが未実行の場合、前記第１のＣＭ識別情報に対応付けて前記素材記憶手段に記憶させる前記ＣＭ素材の取得を実行し、
前記第１のＣＭ識別情報における前記ステータスが実行済みの場合、前記第１のＣＭ識別情報に対応付けて前記素材記憶手段に記憶させる前記ＣＭ素材の取得を実行しない処理装置。
【請求項７】
請求項６に記載の処理装置において、
前記ステータス管理手段は、ユーザ入力に応じて前記ステータスを変更する処理装置。
【請求項８】
請求項７に記載の処理装置において、
前記ステータス管理手段は、前記第１のＣＭ識別情報に対応付けて記憶されている前記ＣＭ素材を搬入する処理がそれまでに一度でも実行されている場合、前記ステータスの変更を実行しない処理装置。
【請求項９】
請求項７に記載の処理装置において、
前記ステータス管理手段は、前記第１のＣＭ識別情報に対応付けて記憶されている前記ＣＭ素材を搬入する処理がそれまでに一度でも実行されている場合、前記ステータスの変更を実行してよいか確認するメッセージを出力し、実行してよい旨の入力を受付けた後に前記ステータスの変更を実行する処理装置。
【請求項１０】
請求項７から９のいずれか１項に記載の処理装置において、
前記削除手段は、前記第１のＣＭ識別情報における前記ステータスが実行済みから未実行に変更された場合、前記第１のＣＭ識別情報に対応付けて記憶されている前記オンライン認証情報を削除する処理装置。
【請求項１１】
コンピュータが、
ＣＭ素材を取得し、前記ＣＭ素材を所定のＣＭ識別情報に対応付けて素材記憶手段に記憶させる素材管理工程と、
前記素材記憶手段に記憶されている前記ＣＭ素材を承認する入力を受付ける承認受付工程と、
前記ＣＭ素材が承認されたことをＣＭ管理システムに通知し、前記ＣＭ管理システムからオンライン認証情報を取得する承認通知工程と、
前記オンライン認証情報を前記ＣＭ識別情報に対応付けて情報記憶手段に記憶させるオンライン認証情報登録工程と、
前記ＣＭ管理システムから、前記オンライン認証情報を含む搬入指示を取得する搬入指示取得工程と、
前記情報記憶手段に記憶されている情報に基づき、前記搬入指示に含まれる前記オンライン認証情報に対応付けて記憶されている前記ＣＭ素材を特定し、特定した前記ＣＭ素材を送受信サーバに搬入する搬入工程と、
前記情報記憶手段に記憶されている所定の前記オンライン認証情報を削除する削除工程と、
を実行する処理方法。
【請求項１２】
コンピュータを、
ＣＭ素材を取得し、前記ＣＭ素材を所定のＣＭ識別情報に対応付けて素材記憶手段に記憶させる素材管理手段、
前記素材記憶手段に記憶されている前記ＣＭ素材を承認する入力を受付ける承認受付手段、
前記ＣＭ素材が承認されたことをＣＭ管理システムに通知し、前記ＣＭ管理システムからオンライン認証情報を取得する承認通知手段、
前記オンライン認証情報を前記ＣＭ識別情報に対応付けて情報記憶手段に記憶させるオンライン認証情報登録手段、
前記ＣＭ管理システムから、前記オンライン認証情報を含む搬入指示を取得する搬入指示取得手段、
前記情報記憶手段に記憶されている情報に基づき、前記搬入指示に含まれる前記オンライン認証情報に対応付けて記憶されている前記ＣＭ素材を特定し、特定した前記ＣＭ素材を送受信サーバに搬入する搬入手段、
前記情報記憶手段に記憶されている所定の前記オンライン認証情報を削除する削除手段、
として機能させるプログラム。
【発明の詳細な説明】
【技術分野】
【０００１】
本発明は、処理装置、処理方法及びプログラムに関する。
【背景技術】
【０００２】
非特許文献１に、テレビＣＭ（commercial message）のオンライン運用に関する技術が開示されている。制作されたＣＭ素材やＣＭメタ情報は、素材搬入事業者のシステム、及び、送稿事業者（協調領域）のシステムを経由して、各放送局の送受信サーバに搬入される。
【先行技術文献】
【非特許文献】
【０００３】
【非特許文献１】一般社団法人日本広告業協会、“ＴＶＣＭオンライン情報  ポータルＷＥＢページ”、［online］、２０１７年１０月２６日、［２０１８年４月１０日検索］、インターネット<URL: https://www.jaaa.ne.jp/2017/10/5240/>
【発明の概要】
【発明が解決しようとする課題】
【０００４】
本発明は、意図しないＣＭ素材が放送局の送受信サーバに搬入される不都合を抑制することを課題とする。
【課題を解決するための手段】
【０００５】
本発明によれば、
ＣＭ素材を取得し、前記ＣＭ素材を所定のＣＭ識別情報に対応付けて素材記憶手段に記憶させる素材管理手段と、
前記素材記憶手段に記憶されている前記ＣＭ素材を承認する入力を受付ける承認受付手段と、
前記ＣＭ素材が承認されたことをＣＭ管理システムに通知し、前記ＣＭ管理システムからオンライン認証情報を取得する承認通知手段と、
前記オンライン認証情報を前記ＣＭ識別情報に対応付けて情報記憶手段に記憶させるオンライン認証情報登録手段と、
前記ＣＭ管理システムから、前記オンライン認証情報を含む搬入指示を取得する搬入指示取得手段と、
前記情報記憶手段に記憶されている情報に基づき、前記搬入指示に含まれる前記オンライン認証情報に対応付けて記憶されている前記ＣＭ素材を特定し、特定した前記ＣＭ素材を送受信サーバに搬入する搬入手段と、
前記情報記憶手段に記憶されている所定の前記オンライン認証情報を削除する削除手段と、
を有する処理装置が提供される。
【０００６】
また、本発明によれば、
コンピュータが、
ＣＭ素材を取得し、前記ＣＭ素材を所定のＣＭ識別情報に対応付けて素材記憶手段に記憶させる素材管理工程と、
前記素材記憶手段に記憶されている前記ＣＭ素材を承認する入力を受付ける承認受付工程と、
前記ＣＭ素材が承認されたことをＣＭ管理システムに通知し、前記ＣＭ管理システムからオンライン認証情報を取得する承認通知工程と、
前記オンライン認証情報を前記ＣＭ識別情報に対応付けて情報記憶手段に記憶させるオンライン認証情報登録工程と、
前記ＣＭ管理システムから、前記オンライン認証情報を含む搬入指示を取得する搬入指示取得工程と、
前記情報記憶手段に記憶されている情報に基づき、前記搬入指示に含まれる前記オンライン認証情報に対応付けて記憶されている前記ＣＭ素材を特定し、特定した前記ＣＭ素材を送受信サーバに搬入する搬入工程と、
前記情報記憶手段に記憶されている所定の前記オンライン認証情報を削除する削除工程と、
を実行する処理方法が提供される。
【０００７】
また、本発明によれば、
コンピュータを、
ＣＭ素材を取得し、前記ＣＭ素材を所定のＣＭ識別情報に対応付けて素材記憶手段に記憶させる素材管理手段、
前記素材記憶手段に記憶されている前記ＣＭ素材を承認する入力を受付ける承認受付手段、
前記ＣＭ素材が承認されたことをＣＭ管理システムに通知し、前記ＣＭ管理システムからオンライン認証情報を取得する承認通知手段、
前記オンライン認証情報を前記ＣＭ識別情報に対応付けて情報記憶手段に記憶させるオンライン認証情報登録手段、
前記ＣＭ管理システムから、前記オンライン認証情報を含む搬入指示を取得する搬入指示取得手段、
前記情報記憶手段に記憶されている情報に基づき、前記搬入指示に含まれる前記オンライン認証情報に対応付けて記憶されている前記ＣＭ素材を特定し、特定した前記ＣＭ素材を送受信サーバに搬入する搬入手段、
前記情報記憶手段に記憶されている所定の前記オンライン認証情報を削除する削除手段、
として機能させるプログラムが提供される。
【発明の効果】
【０００８】
本発明によれば、意図しないＣＭ素材が放送局の送受信サーバに搬入される不都合を抑制できる。
【図面の簡単な説明】
【０００９】
【図１】テレビＣＭのオンライン運用に関する技術の全体像の一例を説明するための図である。
【図２】テレビＣＭのオンライン運用に関する技術の処理の流れの一例を説明するための図である。
【図３】ＣＭメタ情報の一例を示す図である。
【図４】処理装置に記憶された情報の対応関係を説明するための図である。
【図５】処理装置に記憶された情報の対応関係を説明するための図である。
【図６】本実施形態の処理装置のハードウエア構成の一例を示す図である。
【図７】本実施形態の処理装置の機能ブロック図の一例を示す図である。
【図８】処理装置に記憶された情報の対応関係を説明するための図である。
【図９】処理装置に記憶された情報の対応関係を説明するための図である。
【図１０】本実施形態の処理装置の処理の流れの一例を示すフローチャートである。
【図１１】本実施形態の処理装置の処理の流れの一例を示すフローチャートである。
【図１２】本実施形態の処理装置の処理の流れの一例を示すフローチャートである。
【図１３】本実施形態の処理装置の機能ブロック図の一例を示す図である。
【図１４】本実施形態の処理装置が管理する情報の一例を模式的に示す図である。
【図１５】本実施形態の処理装置の処理の流れの一例を示すフローチャートである。
【図１６】本実施形態の処理装置の処理の流れの一例を示すフローチャートである。
【図１７】本実施形態の処理装置の処理の流れの一例を示すフローチャートである。
【発明を実施するための形態】
【００１０】
＜第１の実施形態＞
まず、図１を用いて、テレビＣＭのオンライン運用に関する技術の全体像の一例を簡単に説明する。処理装置は、素材搬入事業者のシステムである。ＣＭ管理システムは、送稿事業者のシステムである（協調領域）。
【００１１】
広告主は、制作扱い広告会社にＣＭの制作を依頼する。制作扱い広告会社は、依頼に基づき、ＣＭの制作を制作会社に依頼する。制作会社により制作されたＣＭメタ情報及びＣＭ素材は、処理装置に登録される。処理装置は、登録されたＣＭメタ情報をＣＭ管理システムに登録する。
【００１２】
また、広告主は、媒体扱い広告会社にＣＭ素材の搬入を依頼する。媒体扱い広告会社は、依頼に基づき、ＣＭ素材の搬入指示をＣＭ管理システムに入力する（搬入依頼）。ＣＭ管理システムは、入力に基づき、処理装置にＣＭ素材の搬入指示を送信する（搬入依頼）。そして、処理装置は、搬入指示に基づき、各放送局に設置された送受信サーバに、所定のＣＭ素材を搬入する。その後、放送局内に設置された送受信サーバから、放送局の送出設備にＣＭ素材が送稿される。図示するＣＭＡＳは、ＣＭ登録認証サービスを意味する。
【００１３】
次に、図２を用いて、より詳細に処理の流れの一例を説明する。制作扱い広告会社からの依頼に基づきＣＭメタ情報を制作した制作会社は、ＣＭメタ情報を処理装置に登録する（Ｓ１０１、Ｓ１０２）。制作会社は、インターネットを利用して、ＣＭメタ情報を処理装置に登録することができる。例えば、制作会社は、素材搬入事業者が提供するウェブページにアクセスし、素材搬入事業者が提供するシステムにログインする。そして、制作会社は、当該システムが提供する機能を利用して、ＣＭメタ情報の入力及び処理装置への登録等を行う。
【００１４】
図３にＣＭメタ情報に含まれる各種情報の一例を示す。ＣＭメタ情報はＣＭ識別情報（例：１０桁コード）を有する。ＣＭ識別情報は、広告主により決定されたものであってもよいし、制作会社により決定されたものであってもよいし、制作扱い広告会社により決定されたものであってもよいし、その他であってもよい。
【００１５】
図２に戻り、Ｓ１０３では、制作扱い広告会社は、処理装置に登録されたＣＭメタ情報を閲覧し、内容に問題がなければ承認する。制作扱い広告会社は、インターネットを利用して、ＣＭメタ情報の閲覧及び承認を行うことができる。例えば、制作扱い広告会社は、素材搬入事業者が提供するウェブページにアクセスし、素材搬入事業者が提供するシステムにログインする。そして、制作扱い広告会社は、当該システムが提供する機能を利用して、Ｓ１０１及びＳ１０２で登録されたＣＭメタ情報の閲覧及び承認入力等を行う。制作扱い広告会社は、例えば、ＣＭ識別情報を利用して、所望のＣＭメタ情報を見つけることができる。
【００１６】
Ｓ１０４では、処理装置は、ＣＭ管理システムが提供するメタ登録ＡＰＩ（application programming interface）を介して、Ｓ１０３で承認されたＣＭメタ情報をＣＭ管理システムに送信する。処理装置とＣＭ管理システムは、インターネットを介して互いに通信可能に構成されている。
【００１７】
Ｓ１０５では、ＣＭ管理システムは、処理装置から受信したＣＭメタ情報に含まれるＣＭ識別情報と、予め登録されているＣＭ識別情報とを照合することで、ＣＭメタ情報に含まれるＣＭ識別情報が他のＣＭ識別情報と重複しないかチェックする。そして、重複していない場合、ＣＭ管理システムはそのＣＭメタ情報を登録する。
【００１８】
Ｓ１０６では、制作扱い広告会社は、広告主からの依頼に基づき、媒体扱い広告会社を処理装置に登録する。制作扱い広告会社は、インターネットを利用して、媒体扱い広告会社を処理装置に登録することができる。例えば、制作扱い広告会社は、素材搬入事業者が提供するウェブページにアクセスし、素材搬入事業者が提供するシステムにログインする。そして、制作扱い広告会社は、当該システムが提供する機能を利用して、媒体扱い広告会社の入力及び登録等を行う。制作扱い広告会社は、例えばＣＭ識別情報に対応付けて、所定の媒体扱い広告会社を登録する。
【００１９】
Ｓ１０７、Ｓ１０８では、処理装置は、ＣＭ管理システムが提供する媒体扱い広告会社登録ＡＰＩを介して、Ｓ１０６で登録された媒体扱い広告会社をＣＭ管理システムに登録する。ＣＭ管理システムは、例えばＣＭ識別情報に対応付けて、所定の媒体扱い広告会社を登録する。その後、ＣＭ管理システムは、登録された媒体扱い広告会社にその旨を通知する（Ｓ１０９）。なお、ＣＭ管理システムは、電子メール等の手段で、上記通知を行ってもよい。通知される内容には、ＣＭ識別情報が含まれてもよい。
【００２０】
Ｓ１１０、Ｓ１１１では、制作扱い広告会社からの依頼に基づきＣＭ素材を制作した制作会社は、ＣＭ識別情報に対応付けて、ＣＭ素材を処理装置に登録する。制作会社は、インターネットを利用して、ＣＭ素材を処理装置に登録することができる。例えば、制作会社は、素材搬入事業者が提供するウェブページにアクセスし、素材搬入事業者が提供するシステムにログインする。そして、制作会社は、当該システムが提供する機能を利用して、ＣＭ素材のアップロード等を行う。ＣＭ素材は、コンテンツの動画ファイル及び音声ファイル等を含む。
【００２１】
なお、Ｓ１１０及びＳ１１１の処理は、Ｓ１０６乃至Ｓ１０９の処理の前に行われてもよいし、後に行われてもよい。
【００２２】
Ｓ１１２では、制作扱い広告会社は、処理装置に登録されたＣＭ素材を閲覧し、内容に問題がなければ承認する。制作扱い広告会社は、インターネットを利用して、ＣＭ素材の閲覧及び承認を行うことができる。例えば、制作扱い広告会社は、素材搬入事業者が提供するウェブページにアクセスし、素材搬入事業者が提供するシステムにログインする。そして、制作扱い広告会社は、当該システムが提供する機能を利用して、ＣＭ素材の閲覧及び承認入力（オンライン認証）等を行う。制作扱い広告会社は、例えば、ＣＭ識別情報を利用して、所望のＣＭ素材を見つけることができる。
【００２３】
Ｓ１１３、Ｓ１１４では、処理装置は、ＣＭ管理システムが提供するオンライン認証ＡＰＩを介して、Ｓ１１２でＣＭ素材が承認されたことをＣＭ管理システムに登録する。ＣＭ管理システムは、ＣＭ識別情報に対応付けて、ＣＭ素材が承認されたことを登録する。そして、ＣＭ管理システムは、ＣＭ素材が承認されたことを媒体扱い広告会社に通知する（Ｓ１１５）。なお、通知内容の中に、承認されたＣＭ素材に対応付けられているＣＭ識別情報が含まれてもよい。
【００２４】
また、Ｓ１１４でＣＭ素材が承認されたことがＣＭ管理システムに登録されると、ＣＭ管理システムはオンライン認証情報（例：オンライン認証番号）を発行し、処理装置に通知する（Ｓ１１６）。処理装置は、通知されたオンライン認証情報を、例えばメタ情報の一部として自装置の記憶装置に記憶させる（Ｓ１１７）。なお、本実施形態ではメタ情報の一部としてオンライン認証情報を記憶するものとするが、メタ情報と独立してオンライン認証情報を記憶してもよい。いずれの場合も、オンライン認証情報は所定のＣＭ識別情報に対応付けて記憶される。
【００２５】
ここまでの処理により、図４に示すようにＣＭ識別情報とＣＭ素材とオンライン認証情報とが互いに対応付けて、処理装置に記憶される。このように、ＣＭ識別情報とＣＭ素材とオンライン認証情報とが互いに対応付けて記憶されている場合、処理装置から送受信サーバへのそのＣＭ素材の搬入が実行可能となる。
【００２６】
図２に戻り、Ｓ１１５の通知を受けた後、媒体扱い広告会社がＣＭ管理システムを操作し、所定のＣＭ素材を所定の放送局に設置された送受信サーバに搬入する搬入指示を入力する（Ｓ１１８）。すると、ＣＭ管理システムは搬入指示を処理装置に送信する（Ｓ１１９）。搬入指示には、搬入するＣＭ素材に対応付けられているオンライン認証情報が含まれる。搬入指示には、搬入する放送局を示す情報が含まれてもよい。
【００２７】
搬入指示を受信した処理装置は、搬入指示に含まれるオンライン認証情報、及び、図４に示すような対応関係に基づき、搬入指示に含まれるオンライン認証情報に対応付けて記憶されているＣＭ素材を特定する。その後、処理装置は、特定したＣＭ素材を所定の放送局に設置された送受信サーバに送信する（Ｓ１２０）。結果、所定の放送局に設置された送受信サーバに所定のＣＭ素材が搬入される（Ｓ１２１）。
【００２８】
次に、処理装置の構成を説明する。まず、処理装置の概要を説明する。上述の通り、処理装置において図４に示すようにＣＭ識別情報とＣＭ素材とオンライン認証情報とが互いに対応付けて記憶されている場合、処理装置から送受信サーバへのＣＭ素材の搬入が実行可能となる。図４に示すように記憶されている状態で、処理装置がオンライン認証情報「３３９９８７２６」を含む搬入指示を受信すると、処理装置はオンライン認証情報「３３９９８７２６」に対応付けて記憶されているＣＭ素材「ＡＡ１１３．ｍｘｆ」を送受信サーバに搬入する。
【００２９】
しかし、図４に示すように記憶されている状況下で、制作会社や制作扱い広告会社がＣＭ素材「ＡＡ１１３．ｍｘｆ」の搬入を希望しない場合がある。このような状況の一例は、以下の実施形態で明らかになる。
【００３０】
処理装置は、図４に示すように記憶されている状況下でＣＭ素材「ＡＡ１１３．ｍｘｆ」が搬入されないようにするため、Ｓ１１７で記憶されたオンライン認証情報を削除する機能を有する。図４に示すように記憶されている状態からオンライン認証情報「３３９９８７２６」が削除されると、図５に示すような状態となる。すなわち、処理装置において、削除されたオンライン認証情報「３３９９８７２６」と、ＣＭ素材「ＡＡ１１３．ｍｘｆ」との対応関係はなくなる。以降、オンライン認証情報「３３９９８７２６」を含む搬入指示を取得しても、処理装置はＣＭ素材「ＡＡ１１３．ｍｘｆ」を特定できない。このため、処理装置はＣＭ素材「ＡＡ１１３．ｍｘｆ」を送受信サーバに搬入しない。
【００３１】
このように、処理装置は、所定のオンライン認証情報を削除して所定のＣＭ素材の搬入を停止してしまうことで、意図しないＣＭ素材が送受信サーバに搬入される不都合を抑制する。
【００３２】
以下、本実施形態の処理装置の構成を詳細に説明する。まず、処理装置のハードウエア構成の一例について説明する。本実施形態の処理装置が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００３３】
図６は、本実施形態の処理装置のハードウエア構成を例示するブロック図である。図６に示すように、処理装置は、プロセッサ１Ａ、メモリ２Ａ、入出力インターフェイス３Ａ、周辺回路４Ａ、バス５Ａを有する。周辺回路４Ａには、様々なモジュールが含まれる。処理装置は周辺回路４Ａを有さなくてもよい。
【００３４】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ、ＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置、外部装置、外部サーバ、外部センサー等から情報を取得するためのインターフェイスや、出力装置、外部装置、外部サーバ等に情報を出力するためのインターフェイスなどを含む。入力装置は、例えばキーボード、マウス、マイク等である。出力装置は、例えばディスプレイ、スピーカ、プリンター、メーラ等である。プロセッサ１Ａは、各モジュールに指令を出し、それらの演算結果をもとに演算を行うことができる。
【００３５】
次に、処理装置の機能構成を説明する。図７に、処理装置１００の機能ブロック図の一例を示す。図示するように、処理装置１００は、素材管理部１３０と、承認受付部１４１と、承認通知部１４２と、オンライン認証情報登録部１４３と、搬入指示取得部１５１と、搬入部１５２と、削除部１４４とを有する。
【００３６】
素材管理部１３０は、ＣＭ素材を取得し、ＣＭ素材を所定のＣＭ識別情報に対応付けて素材記憶部に記憶させる。例えば、素材管理部１３０は、１つのＣＭ識別情報が指定された状態でＣＭ素材を取得し、取得したＣＭ素材を指定されていたＣＭ識別情報に対応付けて素材記憶部に記憶させる。素材管理部１３０による当該処理は、図２のＳ１１０及びＳ１１１に対応する。
【００３７】
例えば、制作会社は、素材搬入事業者が提供するウェブページにアクセスし、素材搬入事業者が提供するシステムにログインする。そして、制作会社は、当該システムが提供する機能を利用して、１つのＣＭ識別情報を指定する。次いで、制作会社は、１つのＣＭ識別情報が指定された状態で、所定のＣＭ素材をアップロードする操作を行う。素材管理部１３は、例えばこのようにしてアップロードされたＣＭ素材を取得し、指定されていたＣＭ識別情報に対応付けて素材記憶部に記憶させる。
【００３８】
承認受付部１４１は、素材記憶部に記憶されているＣＭ素材を承認する入力を受付ける。承認受付部１４１による当該処理は、図２のＳ１１２に対応する。
【００３９】
例えば、制作扱い広告会社は、素材搬入事業者が提供するウェブページにアクセスし、素材搬入事業者が提供するシステムにログインする。そして、制作扱い広告会社は、当該システムが提供する機能を利用して、ＣＭ素材の閲覧及び承認入力等を行う。制作扱い広告会社は、例えばＣＭ識別情報を利用して所望のＣＭ素材を読み出し、再生などする。そして、ＣＭ素材の内容に問題がない場合、制作扱い広告会社は、当該システムが提供する機能を利用して、ＣＭ素材を承認する入力を行う。承認受付部１４１は、このようにして、所定のＣＭ識別情報に対応付けて記憶されているＣＭ素材を承認する入力を受付ける。
【００４０】
承認通知部１４２は、承認受付部１４１が受付けた所定のＣＭ識別情報に対応付けて記憶されているＣＭ素材が承認されたことをＣＭ管理システムに通知し、ＣＭ管理システムからオンライン認証情報を取得する。オンライン認証情報登録部１４３は、承認通知部１４２が取得したオンライン認証情報を上記所定のＣＭ識別情報に対応付けて情報記憶部に記憶させる。承認通知部１４２及びオンライン認証情報登録部１４３による当該処理は、図２のＳ１１３及びＳ１１７に対応する。情報記憶部を実現する記憶装置と、素材記憶部を実現する記憶装置は同じ記憶装置であってもよいし、物理的及び／又は論理的に分かれた異なる記憶装置であってもよい。
【００４１】
素材管理部１３０、承認受付部１４１、承認通知部１４２及びオンライン認証情報登録部１４３による上記処理により、ＣＭ識別情報と、ＣＭ素材と、オンライン認証情報とが互いに対応付けて処理装置１００に記憶される。図４に、当該対応状態の概念図を示す。
【００４２】
搬入指示取得部１５１は、ＣＭ管理システムから、オンライン認証情報を含む搬入指示を取得する。搬入指示には、搬入する放送局を示す情報が含まれてもよい。
【００４３】
搬入部１５２は、情報記憶部に記憶されている情報に基づき、搬入指示に含まれるオンライン認証情報に対応付けて記憶されているＣＭ素材を特定し、特定したＣＭ素材を送受信サーバに搬入する。搬入部１５２は、図４に示すような対応関係に基づき、所定のオンライン認証情報に対応付けて記憶されているＣＭ素材を特定する。
【００４４】
搬入指示取得部１５１及び搬入部１５２による当該処理は、図２のＳ１２０に対応する。
【００４５】
例えば、媒体扱い広告会社は、所定のＣＭ素材を所定の放送局に設置された送受信サーバに搬入する搬入指示を、ＣＭ管理システムに入力する。すると、ＣＭ管理システムは搬入指示を処理装置に送信する。搬入指示には、搬入するＣＭ素材に対応付けられているオンライン認証情報が含まれる。搬入指示取得部１５１が搬入指示を取得した後、搬入部１５２は搬入指示に含まれるオンライン認証情報と、図４に示すような対応関係に基づき、所定のオンライン認証情報に対応付けて記憶されているＣＭ素材を特定する。次いで、搬入部１５２は、特定したＣＭ素材を所定の放送局に設置された送受信サーバに送信する。
【００４６】
削除部１４４は、情報記憶部に記憶されている所定のオンライン認証情報を削除する。削除部１４４は、ユーザ入力で指定されたオンライン認証情報をユーザ入力に従い削除してもよいし、所定の条件を満たした場合に自動的に所定のオンライン認証情報を削除してもよい。後者の例は、以下の実施形態で示す。
【００４７】
例えば、図４に示すようにＣＭ識別情報とＣＭ素材とオンライン認証情報とが互いに対応付けて記憶されている状態で、削除部１４４がオンライン認証情報「３３９９８７２６」を削除すると、図５に示すような状態となる。すなわち、処理装置において、削除されたオンライン認証情報「３３９９８７２６」と、ＣＭ素材「ＡＡ１１３．ｍｘｆ」との対応関係はなくなる。
【００４８】
当該削除後に、搬入指示取得部１５１がオンライン認証情報「３３９９８７２６」を含む搬入指示を取得しても、搬入部１５２はＣＭ素材「ＡＡ１１３．ｍｘｆ」を搬入するＣＭ素材として特定できない。このため、当該削除後に、搬入指示取得部１５１がオンライン認証情報「３３９９８７２６」を含む搬入指示を取得しても、搬入部１５２はＣＭ素材「ＡＡ１１３．ｍｘｆ」を搬入しない。この場合、搬入部１５２は、ＣＭ管理システムに対してエラー通知を行ってもよい。
【００４９】
以上説明した本実施形態の処理装置１００によれば、所定のオンライン認証情報を削除して所定のＣＭ素材の搬入を停止してしまうことで、意図しないＣＭ素材が放送局に搬入される不都合を抑制できる。
【００５０】
＜第２の実施形態＞
まず、本実施形態の処理装置１００の概要を説明する。テレビＣＭのオンライン運用に関する技術の全体像や処理の流れの一例は、第１の実施形態で説明した通りである。
【００５１】
本実施形態の処理装置１００は、図２のＳ１１０及びＳ１１１を実行して第１のＣＭ識別情報に対応付けてＣＭ素材を記憶した後も、第１のＣＭ識別情報に対応付けて記憶するＣＭ素材の再取得（再アップロード）を実行することができる。なお、１つのＣＭ識別情報に対応付けて記憶することができるＣＭ素材の数は１つである。このため、ＣＭ素材の再取得を行った場合、処理装置１００は、第１のＣＭ識別情報に対応付けて記憶するＣＭ素材を再取得したＣＭ素材に更新する。
【００５２】
この機能を利用することで、制作会社は、先に処理装置１００に記憶させたＣＭ素材に問題が見つかった場合、その後に問題を解決したＣＭ素材を再アップロードすることで、所定のＣＭ識別情報に対応付けて処理装置１００に記憶させるＣＭ素材を差し替えることができる。
【００５３】
なお、再アップロードは、Ｓ１１２乃至Ｓ１１７のオンライン認証等を実行した後も可能とする。このようにすることで、再アップロードのタイミングの自由度が高まる。
【００５４】
しかし、Ｓ１１２乃至Ｓ１１７のオンライン認証等を実行し、図４に示すようにＣＭ識別情報とＣＭ素材とオンライン認証情報とが互いに対応付けて記憶され、処理装置から送受信サーバへのＣＭ素材の搬入が実行可能となっている状態で、上記機能を利用してＣＭ素材を差し替えると、対応関係は図８に示すような状態となる。すなわち、ＣＭ識別情報と、再アップロードで新たに記憶されたＣＭ素材と、先のＣＭ素材のオンライン認証時に取得したオンライン認証情報とが互いに対応付けて記憶され、再アップロードで新たに記憶されたＣＭ素材の搬入が実行可能な状態となる。
【００５５】
このように、処理装置から送受信サーバへのＣＭ素材の搬入が実行可能となっている状態でＣＭ素材を差し替えると、差替え直後から、再アップロードで新たに記憶されたＣＭ素材が搬入可能な状態となってしまう。しかし、再アップロードで新たに記憶されたＣＭ素材は、制作扱い広告会社による閲覧・承認等を経た後に搬入するのが好ましい。
【００５６】
そこで、処理装置１００は、ＣＭ素材の再アップロードが実行されると、それに応じて、そのＣＭ素材に対応付けて記憶されているオンライン認証情報を削除する。このようにすることで、再アップロードで新たに記憶されたＣＭ素材が、再アップロードの直後から搬入可能な状態となってしまう不都合を回避する。
【００５７】
以下、処理装置１００の構成を説明する。処理装置１００のハードウエア構成の一例は、第１の実施形態と同様である。
【００５８】
処理装置１００の機能ブロック図の一例は、第１の実施形態同様、図７で示される。図示するように、処理装置１００は、素材管理部１３０と、承認受付部１４１と、承認通知部１４２と、オンライン認証情報登録部１４３と、搬入指示取得部１５１と、搬入部１５２と、削除部１４４とを有する。承認受付部１４１、承認通知部１４２、オンライン認証情報登録部１４３、搬入指示取得部１５１及び搬入部１５２の構成は、第１の実施形態と同様である。
【００５９】
素材管理部１３０は、上述したＣＭ素材の再アップロードを受付ける。すなわち、素材管理部１３０は、素材記憶部において第１のＣＭ識別情報に対応付けてＣＭ素材が記憶されている状態で、第１のＣＭ識別情報に対応付けて素材記憶部に記憶させる新たなＣＭ素材を取得することができる。そして、素材管理部１３０は、素材記憶部において第１のＣＭ識別情報に対応付けてＣＭ素材が記憶されている状態で、第１のＣＭ識別情報に対応付けて素材記憶部に記憶させる新たなＣＭ素材を取得した場合、素材記憶部において第１のＣＭ識別情報に対応付けて記憶させるＣＭ素材を新たに取得したＣＭ素材に更新する。素材管理部１３０のその他の構成は、第１の実施形態と同様である。
【００６０】
削除部１４４は、第１のＣＭ識別情報に対応付けて記憶されているＣＭ素材が更新された場合、第１のＣＭ識別情報に対応付けて記憶されているオンライン認証情報を削除する。例えば、図４に示すようにＣＭ識別情報とＣＭ素材とオンライン認証情報とが互いに対応付けて記憶されている状態で、素材管理部１３０が、素材記憶部に記憶されているＣＭ素材をＣＭ素材「ＡＡ１１３．ｍｘｆ」からＣＭ素材「ＡＡ１１４．ｍｘｆ」に更新し、図８に示すような状態になったとする。すると、削除部１４４は当該更新に応じて、図９に示すように、更新されたＣＭ素材に対応付けて記憶されているオンライン認証情報「３３９９８７２６」を削除する。
【００６１】
当該削除を実行する前の図８に示す状態で、搬入指示取得部１５１がオンライン認証情報「３３９９８７２６」を含む搬入指示を受信すると、搬入部１５２はＣＭ素材「ＡＡ１１４．ｍｘｆ」を搬入するＣＭ素材として特定し、送受信サーバに搬入する。
【００６２】
しかし、当該削除を実行した後の図９に示す状態で、搬入指示取得部１５１がオンライン認証情報「３３９９８７２６」を含む搬入指示を受信しても、搬入部１５２はＣＭ素材「ＡＡ１１４．ｍｘｆ」を搬入するＣＭ素材として特定できない。このため、当該削除後に、搬入指示取得部１５１がオンライン認証情報「３３９９８７２６」を含む搬入指示を受信しても、搬入部１５２はＣＭ素材「ＡＡ１１４．ｍｘｆ」を搬入しない。この場合、搬入部１５２は、ＣＭ管理システムに対してエラー通知を行ってもよい。
【００６３】
なお、削除後の任意のタイミングで、更新後のＣＭ素材「ＡＡ１１４．ｍｘｆ」に対して図２のＳ１１２乃至Ｓ１１７が実行され、新たなオンライン認証情報が記憶された後に、ＣＭ素材「ＡＡ１１４．ｍｘｆ」は搬入可能となる。
【００６４】
次に、図１０のフローチャートを用いて、処理装置１００の処理の流れの一例を説明する。
【００６５】
例えば、制作会社は、素材搬入事業者が提供するウェブページにアクセスし、素材搬入事業者が提供するシステムにログインする。そして、制作会社は、当該システムが提供する機能を利用して、１つのＣＭ識別情報を指定する。処理装置１００は、当該ＣＭ識別情報の指定を受付ける（Ｓ１０）。そして、制作会社は、１つのＣＭ識別情報が指定された状態で、所定のＣＭ素材をアップロードする入力を行う。処理装置１００は、当該ＣＭ素材のアップロード入力を受付ける（Ｓ１１）。
【００６６】
そして、Ｓ１０で指定されたＣＭ識別情報に対応付けてＣＭ素材が記憶されている場合（Ｓ１２のＹｅｓ）、素材管理部１３０はそのＣＭ識別情報に対応付けて記憶するＣＭ素材を、Ｓ１１のアップロード入力に応じて新たに取得したＣＭ素材に更新する（Ｓ１３）。
【００６７】
その後、Ｓ１０で指定されたＣＭ識別情報に対応付けてオンライン認証情報が記憶されている場合（Ｓ１５のＹｅｓ）、削除部１４４は、Ｓ１０で指定されたＣＭ識別情報に対応付けて記憶されているオンライン認証情報を削除する（Ｓ１６）。
【００６８】
Ｓ１０で指定されたＣＭ識別情報に対応付けてオンライン認証情報が記憶されていない場合（Ｓ１５のＮｏ）、削除部１４４によるオンライン認証情報の削除が実行されないまま、処理が終了する。
【００６９】
また、Ｓ１０で指定されたＣＭ識別情報に対応付けてＣＭ素材が記憶されてない場合（Ｓ１２のＮｏ）、素材管理部１３０は、Ｓ１１のアップロード入力に応じて取得したＣＭ素材をそのＣＭ識別情報に対応付けて新たに素材記憶部に記憶させる（Ｓ１４）。
【００７０】
以上説明した本実施形態の処理装置１００によれば、第１の実施形態と同様な作用効果を実現できる。
【００７１】
また、本実施形態の処理装置１００は、第１のＣＭ識別情報に対応付けてＣＭ素材を記憶した後に、ＣＭ素材の再アップロードを受付け、第１のＣＭ識別情報に対応付けて記憶するＣＭ素材を新たに取得したＣＭ素材に更新することができる。この機能を利用することで、制作会社は、先に処理装置１００に記憶させたＣＭ素材に問題が見つかった場合、その後に問題を解決したＣＭ素材を再アップロードすることで、処理装置１００に記憶させたＣＭ素材を差し替えることができる。
【００７２】
なお、本実施形態の処理装置１００によれば、再アップロードは、Ｓ１１２乃至Ｓ１１７のオンライン認証等を実行した後も可能とする。このようにすることで、再アップロードのタイミングの自由度が高まる。
【００７３】
また、本実施形態の処理装置１００は、ＣＭ素材が更新されると、そのＣＭ素材に対応付けて記憶されているオンライン認証情報を削除する。このため、更新されたＣＭ素材が更新直後から搬入可能な状態となる不都合を回避できる。結果、更新されたＣＭ素材は、必ず、図２のＳ１１２乃至Ｓ１１７が実行された後に搬入されることとなる。
【００７４】
＜第３の実施形態＞
まず、本実施形態の処理装置１００の概要を説明する。テレビＣＭのオンライン運用に関する技術の全体像や処理の流れの一例は、第１の実施形態で説明した通りである。また、本実施形態の処理装置１００は、第２の実施形態と同様の構成を有する。
【００７５】
処理装置１００に記憶されたＣＭ素材は、複数の放送局の送受信サーバに搬入され得る。そして、各放送局の送受信サーバに搬入されるタイミングは互いに異なり得る。このため、第２の実施形態で説明したＣＭ素材の更新を行うタイミングにおいて、先に処理装置１００に記憶させたＣＭ素材を既にいずれかの放送局の送受信サーバに搬入済みである可能性がある。このような状況下でＣＭ素材の更新を実行すると、各放送局に搬入された同じＣＭ識別情報に関するＣＭ素材の内容が互いに異なるという状況が発生し得る。このような状況を回避するため、本実施形態の処理装置１００は、ＣＭ素材の更新を行うタイミングにおいて、先に処理装置１００に記憶させたＣＭ素材を既にいずれかの放送局の送受信サーバに搬入済みである場合、ＣＭ素材の更新を実行しない。
【００７６】
以下、処理装置１００の構成を説明する。処理装置１００のハードウエア構成の一例は、第１及び第２の実施形態と同様である。
【００７７】
処理装置１００の機能ブロック図の一例は、第１及び第２の実施形態同様、図７で示される。図示するように、処理装置１００は、素材管理部１３０と、承認受付部１４１と、承認通知部１４２と、オンライン認証情報登録部１４３と、搬入指示取得部１５１と、搬入部１５２と、削除部１４４とを有する。承認受付部１４１、承認通知部１４２、オンライン認証情報登録部１４３、搬入指示取得部１５１、搬入部１５２及び削除部１４４の構成は、第１及び第２の実施形態と同様である。
【００７８】
素材管理部１３０は、第２の実施形態同様、素材記憶部において第１のＣＭ識別情報に対応付けてＣＭ素材が記憶されている状態で、第１のＣＭ識別情報に対応付けて素材記憶部に記憶させる新たなＣＭ素材を取得した場合、素材記憶部において第１のＣＭ識別情報に対応付けて記憶させるＣＭ素材を新たに取得したＣＭ素材に更新する。しかし、素材管理部１３０は、素材記憶部に記憶されている更新前のＣＭ素材を搬入する処理がそれまでに一度でも実行されている場合、更新を実行しない。なお、更新を停止できればよく、素材管理部１３０は、新たなＣＭ素材の取得（再アップロード）を実行してもよいし、実行しなくてもよい。素材管理部１３０のその他の構成は、第１及び第２の実施形態と同様である。
【００７９】
次に、図１１のフローチャートを用いて、処理装置１００の処理の流れの一例を説明する。ここでは、素材管理部１３０は、更新を実行しない場合にはＣＭ素材の再アップロードを実行しない例を説明する。
【００８０】
例えば、制作会社は、素材搬入事業者が提供するウェブページにアクセスし、素材搬入事業者が提供するシステムにログインする。そして、制作会社は、当該システムが提供する機能を利用して、１つのＣＭ識別情報を指定する。処理装置１００は、当該ＣＭ識別情報の指定を受付ける（Ｓ２０）。そして、制作会社は、１つのＣＭ識別情報が指定された状態で、所定のＣＭ素材をアップロードする入力を行う。処理装置１００は、当該ＣＭ素材のアップロード入力を受付ける（Ｓ２１）。
【００８１】
そして、Ｓ２０で指定されたＣＭ識別情報に対応付けてＣＭ素材が記憶されている場合（Ｓ２２のＹｅｓ）、素材管理部１３０は記憶されているＣＭ素材を搬入する処理がそれまでに一度でも実行されているか確認する。例えば、ＣＭ素材が搬入される毎に、搬入日時と搬入されたＣＭ素材を識別する情報とを示す搬入履歴が更新されてもよい。そして、素材管理部１３０は当該搬入履歴に基づき、上記確認を実現してもよい。
【００８２】
記憶されているＣＭ素材を搬入する処理がそれまでに一度でも実行されている場合（Ｓ２３のＹｅｓ）、素材管理部１３０はＳ２１で受付けたアップロード入力に応じたアップロードを実行しない（Ｓ２４）。この場合、素材管理部１３０は、「記憶されているＣＭ素材は既に搬入済みであるため、ＣＭ素材の更新はできません。」等のメッセージを出力してもよい。
【００８３】
記憶されているＣＭ素材を搬入する処理がそれまでに一度も実行されていない場合（Ｓ２３のＮｏ）、素材管理部１３０はＳ２１で受付けたアップロード入力に応じたアップロードを実行する（Ｓ２５）。そして、素材管理部１３０はＳ２０で指定されたＣＭ識別情報に対応付けて記憶するＣＭ素材を、Ｓ２５で新たに取得したＣＭ素材に更新する（Ｓ２６）。
【００８４】
その後、Ｓ２０で指定されたＣＭ識別情報に対応付けてオンライン認証情報が記憶されている場合（Ｓ２７のＹｅｓ）、削除部１４４は、Ｓ２０で指定されたＣＭ識別情報に対応付けて記憶されているオンライン認証情報を削除する（Ｓ２８）。
【００８５】
Ｓ２０で指定されたＣＭ識別情報に対応付けてオンライ認証番号が記憶されていない場合（Ｓ２７のＮｏ）、削除部１４４によるオンライン認証情報の削除が実行されないまま、処理が終了する。
【００８６】
また、Ｓ２０で指定されたＣＭ識別情報に対応付けてＣＭ素材が記憶されていない場合（Ｓ２２のＮｏ）、素材管理部１３０はＳ２１で受付けたアップロード入力に応じたアップロードを実行する（Ｓ２９）。そして、素材管理部１３０は、Ｓ２９で取得したＣＭ素材を、Ｓ２０で指定されたＣＭ識別情報に対応付けて素材記憶部に記憶させる（Ｓ３０）。
【００８７】
変形例として、Ｓ２０で１つのＣＭ識別情報が指定されると、素材管理部１３０は、Ｓ２２及びＳ２３の判断を行ってもよい。そして、Ｓ２２でＹｅｓかつＳ２３でＹｅｓとなった場合、素材管理部１３０は、ユーザ操作を受付けるユーザインターフェイス画面において、ＣＭ素材のアップロードを指示するボタンを選択不可な状態にしてもよい。一方、Ｓ２２でＮｏとなった場合、また、Ｓ２２でＹｅｓかつＳ２３でＮｏとなった場合、素材管理部１３０は、ユーザ操作を受付けるユーザインターフェイス画面において、ＣＭ素材のアップロードを指示するボタンを選択可な状態にしてもよい。
【００８８】
以上説明した本実施形態の処理装置１００によれば、第１及び第２の実施形態と同様な作用効果を実現できる。
【００８９】
また、本実施形態の処理装置１００によれば、ＣＭ素材の更新を行うタイミングにおいて、先に処理装置１００に記憶させたＣＭ素材を既にいずれかの放送局の送受信サーバに搬入済みである場合、ＣＭ素材の更新を実行しない。このため、各放送局に搬入された同一のＣＭ識別情報に関するＣＭ素材の内容が互いに異なるという状況を回避できる。
【００９０】
＜第４の実施形態＞
まず、本実施形態の処理装置１００の概要を説明する。テレビＣＭのオンライン運用に関する技術の全体像や処理の流れの一例は、第１の実施形態で説明した通りである。また、本実施形態の処理装置１００は、第２の実施形態と同様の構成を有する。
【００９１】
本実施形態の処理装置１００は、第３の実施形態で説明した問題を、第３の実施形態と異なる手段で解決する。具体的には、処理装置１００は、ＣＭ素材の更新を行うタイミングにおいて、先に処理装置１００に記憶させたＣＭ素材を既にいずれかの放送局の送受信サーバに搬入済みである場合、ＣＭ素材の更新を行ってよいか確認するメッセージを出力し、更新して良い旨の入力を受付けた後にＣＭ素材の更新を実行する。
【００９２】
以下、処理装置１００の構成を説明する。処理装置１００のハードウエア構成の一例は、第１乃至第３の実施形態と同様である。
【００９３】
処理装置１００の機能ブロック図の一例は、第１乃至第３の実施形態同様、図７で示される。図示するように、処理装置１００は、素材管理部１３０と、承認受付部１４１と、承認通知部１４２と、オンライン認証情報登録部１４３と、搬入指示取得部１５１と、搬入部１５２と、削除部１４４とを有する。承認受付部１４１、承認通知部１４２、オンライン認証情報登録部１４３、搬入指示取得部１５１、搬入部１５２及び削除部１４４の構成は、第１乃至第３の実施形態と同様である。
【００９４】
素材管理部１３０は、第２及び第３の実施形態同様、素材記憶部において第１のＣＭ識別情報に対応付けてＣＭ素材が記憶されている状態で、第１のＣＭ識別情報に対応付けて素材記憶部に記憶させる新たなＣＭ素材を取得した場合、素材記憶部において第１のＣＭ識別情報に対応付けて記憶させるＣＭ素材を新たに取得したＣＭ素材に更新する。しかし、素材管理部１３０は、素材記憶部に記憶されている更新前のＣＭ素材を搬入する処理がそれまでに一度でも実行されている場合、更新してよいか確認するメッセージを出力し、更新してよい旨の入力を受付けた後に更新を実行する。素材管理部１３０は、更新してよい旨の入力を受付けない場合、更新を実行しない。
【００９５】
なお、更新を停止できればよく、素材管理部１３０は、新たなＣＭ素材の取得（再アップロード）を実行してもよいし、実行しなくてもよい。素材管理部１３０のその他の構成は、第１及び第２の実施形態と同様である。
【００９６】
次に、図１２のフローチャートを用いて、処理装置１００の処理の流れの一例を説明する。ここでは、素材管理部１３０は、更新を実行しない場合にはＣＭ素材の再アップロードを実行しない例を説明する。
【００９７】
例えば、制作会社は、素材搬入事業者が提供するウェブページにアクセスし、素材搬入事業者が提供するシステムにログインする。そして、制作会社は、当該システムが提供する機能を利用して、１つのＣＭ識別情報を指定する。処理装置１００は、当該ＣＭ識別情報の指定を受付ける（Ｓ４０）。そして、制作会社は、１つのＣＭ識別情報が指定された状態で、所定のＣＭ素材をアップロードする入力を行う。処理装置１００は、当該ＣＭ素材のアップロード入力を受付ける（Ｓ４１）。
【００９８】
そして、Ｓ４０で指定されたＣＭ識別情報に対応付けてＣＭ素材が記憶されている場合（Ｓ４２のＹｅｓ）、素材管理部１３０は記憶されているＣＭ素材を搬入する処理がそれまでに一度でも実行されている確認する。例えば、ＣＭ素材が搬入される毎に、搬入日時と搬入されたＣＭ素材を識別する情報とを示す搬入履歴が更新されてもよい。そして、素材管理部１３０は当該搬入履歴に基づき、上記確認を実現してもよい。
【００９９】
記憶されているＣＭ素材を搬入する処理がそれまでに一度でも実行されている場合（Ｓ４３のＹｅｓ）、素材管理部１３０は更新してよいか確認するメッセージを出力し、更新してよいか否かの回答を受付ける（Ｓ４４）。素材管理部１３０は、例えば、「記憶されているＣＭ素材は既に搬入済みです。ＣＭ素材を更新してもよいですか？はい／いいえ」等のメッセージを出力し、「はい」又は「いいえ」の入力を受付けてもよい。
【０１００】
回答が更新不可である場合、素材管理部１３０はＳ４１で受付けたアップロード入力に応じたアップロードを実行しない（Ｓ４６）。
【０１０１】
一方、回答が更新可である場合、素材管理部１３０はＳ４１で受付けたアップロード入力に応じたアップロードを実行する（Ｓ４７）。そして、素材管理部１３０はＳ４０で指定されたＣＭ識別情報に対応付けて記憶させるＣＭ素材を、Ｓ４７で新たに取得したＣＭ素材に更新する（Ｓ４８）。
【０１０２】
その後、Ｓ４０で指定されたＣＭ識別情報に対応付けてオンライン認証情報が記憶されている場合（Ｓ４９のＹｅｓ）、削除部１４４は、Ｓ４０で指定されたＣＭ識別情報に対応付けて記憶されているオンライン認証情報を削除する（Ｓ５０）。
【０１０３】
Ｓ４０で指定されたＣＭ識別情報に対応付けてオンライ認証番号が記憶されていない場合（Ｓ４９のＮｏ）、削除部１４４によるオンライン認証情報の削除が実行されないまま、処理が終了する。
【０１０４】
また、記憶されているＣＭ素材を搬入する処理がそれまでに一度も実行されていない場合（Ｓ４３のＮｏ）、上述したＳ４７乃至Ｓ５０の処理が実行される。
【０１０５】
また、Ｓ４０で指定されたＣＭ識別情報に対応付けてＣＭ素材が記憶されていない場合（Ｓ４２のＮｏ）、素材管理部１３０はＳ４１で受付けたアップロード入力に応じたアップロードを実行する（Ｓ５１）。そして、素材管理部１３０は、Ｓ５１で取得したＣＭ素材をＳ４０で指定されたＣＭ識別情報に対応付けて素材記憶部に記憶させる（Ｓ５２）。
【０１０６】
以上説明した本実施形態の処理装置１００によれば、第１及び第２の実施形態と同様な作用効果を実現できる。
【０１０７】
また、本実施形態の処理装置１００によれば、ＣＭ素材の更新を行うタイミングにおいて、先に処理装置１００に記憶させたＣＭ素材を既にいずれかの放送局の送受信サーバに搬入済みである場合、更新してよいか確認するメッセージを出力し、更新してよい旨の入力を受付けた後に更新を実行する。このため、各放送局に搬入された同一のＣＭ識別情報に関するＣＭ素材の内容が互いに異なるという状況がユーザの意図しない間に起きる不都合を抑制できる。
【０１０８】
＜第５の実施形態＞
まず、本実施形態の処理装置１００の概要を説明する。テレビＣＭのオンライン運用に関する技術の全体像や処理の流れの一例は、第１の実施形態で説明した通りである。
【０１０９】
本実施形態の処理装置１００は、オンライン認証情報をＣＭ識別情報に対応付けて情報記憶部に記憶させる処理のステータス（実行済み／未実行）をＣＭ識別情報毎に管理する。そして、処理装置１００は、当該ステータスが未実行の場合にＣＭ素材の取得（アップロード）を実行し、当該ステータスが実行済みの場合にはＣＭ素材の取得を実行しない。なお、処理装置１００は、ユーザ入力に応じて当該ステータスを変更することができる。
【０１１０】
すなわち、本実施形態の処理装置１００は、図２のＳ１１０及びＳ１１１を実行して第１のＣＭ識別情報に対応付けてＣＭ素材を記憶させた後も、上記ステータスが未実行であれば、第１のＣＭ識別情報に対応付けて記憶させるＣＭ素材の再取得（再アップロード）を受付けることができる。なお、１つのＣＭ識別情報に対応付けて記憶することができるＣＭ素材の数は１つである。このため、ＣＭ素材の再取得を行った場合、処理装置１００は、第１のＣＭ識別情報に対応付けて記憶するＣＭ素材を再取得したＣＭ素材に更新する。
【０１１１】
この機能を利用することで、制作会社は、先に処理装置１００に記憶させたＣＭ素材に問題が見つかった場合、その後に問題を解決したＣＭ素材を再アップロードすることで、第１のＣＭ識別情報に対応付けて処理装置１００に記憶させるＣＭ素材を差し替えることができる。
【０１１２】
また、 上記ステータスが実行済みになっている場合には、制作会社は、上記ステータスを未実行に変更した後、問題を解決したＣＭ素材を再アップロードすることで、所定のＣＭ識別情報に対応付けて処理装置１００に記憶させるＣＭ素材を差し替えることができる。このように、再アップロードは、Ｓ１１２乃至Ｓ１１７のオンライン認証等を実行した後も可能とする。このようにすることで、再アップロードのタイミングの自由度が高まる。
【０１１３】
しかし、この場合、第２の実施形態で説明したものと同様な問題が発生する。すなわち、処理装置から送受信サーバへのＣＭ素材の搬入が実行可能となっている状態でＣＭ素材を差し替えると、差替え直後から、再アップロードで新たに記憶されたＣＭ素材が搬入可能な状態となってしまう。しかし、再アップロードで新たに記憶されたＣＭ素材は、制作扱い広告会社による閲覧・承認等を経た後に搬入するのが好ましい。
【０１１４】
当該不都合を解消するため、処理装置１００は、上記ステータスが実行済みから未実行に変更されると、それに応じて、そのＣＭ素材に対応付けて記憶されているオンライン認証情報を削除する。このようにすることで、再アップロードで新たに記憶されたＣＭ素材が、再アップロードの直後から搬入可能な状態となってしまう不都合を回避できる。
【０１１５】
以下、処理装置１００の構成を説明する。処理装置１００のハードウエア構成の一例は、第１乃至第４の実施形態と同様である。
【０１１６】
処理装置１００の機能ブロック図の一例は、図１３で示される。図示するように、処理装置１００は、素材管理部１３０と、承認受付部１４１と、承認通知部１４２と、オンライン認証情報登録部１４３と、搬入指示取得部１５１と、搬入部１５２と、削除部１４４と、ステータス管理部１７０とを有する。承認受付部１４１、承認通知部１４２、オンライン認証情報登録部１４３、搬入指示取得部１５１及び搬入部１５２の構成は、第１乃至第４の実施形態と同様である。
【０１１７】
ステータス管理部１７０は、オンライン認証情報登録部１４３によるオンライン認証情報をＣＭ識別情報に対応付けて情報記憶部に記憶させる処理のステータスをＣＭ識別情報毎に管理する。なお、ステータス管理部１７０は、図２を用いて説明したその他の処理のステータスをさらに管理してもよい。以下では、ステータス管理部１７０は、図２を用いて説明した各種処理のステータスを管理するものとする。
【０１１８】
図１４に、ステータス管理部１７０が管理している情報の一例を模式的に示す。図示する情報によれば、ステータス管理部１７０は、「ＣＭメタ情報を受付け済みか否か（メタ受付：Ｓ１０１−Ｓ１０２）」、「ＣＭメタ情報の承認を受付け済みか否か（メタ承認：Ｓ１０３−Ｓ１０４）」、「ＣＭ素材を受付け済みか否か（素材受付け：Ｓ１１０−Ｓ１１１）」、「ＣＭ素材の承認を受付け、オンライ認証番号を情報記憶部に記憶済みか否か（オンライン認証：Ｓ１１２−Ｓ１１３）」、「媒体扱い広告会社を指定済みか否か（媒体扱い広告会社指定：Ｓ１０６−Ｓ１０７）」、及び「ＣＭ素材を搬入済みか否か（素材搬入：Ｓ１１８）」等の処理のステータスを管理している。実行済みの処理にチェックマークが入っている。なお、図示する処理はあくまで一例であり、ステータス管理部１７０は、その他の処理のステータスを管理してもよいし、図示する処理の一部のステータスを管理しなくてもよい。
【０１１９】
以下、オンライン認証情報登録部１４３によるオンライン認証情報をＣＭ識別情報に対応付けて情報記憶部に記憶させる処理のステータスを「第１のステータス」という。
【０１２０】
ステータス管理部１７０は、例えば、各処理を実行する機能部から各処理を実行したことを示す情報を取得し、当該情報に基づき、各処理のステータスを未実行から実行済みに変更することができる。
【０１２１】
また、ステータス管理部１７０は、ユーザ入力に応じてステータスを変更することができる。ユーザ入力に応じての変更は、実行済みを未実行に変更するもののみであってもよい。また、ステータス管理部１７０は、ユーザ入力に応じて少なくとも第１のステータスを変更できればよく、ユーザ入力に応じたその他のステータスの変更を実行してもよいし、実行しなくてもよい。
【０１２２】
素材管理部１３０は、第１のＣＭ識別情報における第１のステータスが未実行の場合、第１のＣＭ識別情報に対応付けて素材記憶部に記憶させるＣＭ素材の取得を実行する。すなわち、素材管理部１３０は、図２のＳ１１０におけるアップロードを実行する。
【０１２３】
一方、素材管理部１３０は、第１のＣＭ識別情報における第１のステータスが実行済みである場合、第１のＣＭ識別情報に対応付けて素材記憶部に記憶させるＣＭ素材の取得を実行しない。すなわち、素材管理部１３０は、図２のＳ１１０におけるアップロードを実行しない。
【０１２４】
次に、図１５のフローチャートを用いて、処理装置１００の処理の流れの一例を説明する。
【０１２５】
例えば、制作会社は、素材搬入事業者が提供するウェブページにアクセスし、素材搬入事業者が提供するシステムにログインする。そして、制作会社は、当該システムが提供する機能を利用して、１つのＣＭ識別情報を指定する。処理装置１００は、当該ＣＭ識別情報の指定を受付ける（Ｓ６０）。すると、素材管理部１３０は、指定されたＣＭ識別情報における第１のステータスを確認する。
【０１２６】
第１のステータスが未実行でない場合（Ｓ６１のＮｏ）、素材管理部１３０はＣＭ素材のアップロードを不可とする。例えば、素材管理部１３０は、ユーザ操作を受付けるユーザインターフェイス画面において、ＣＭ素材のアップロードを指示するボタンを選択不可な状態にしてもよい。
【０１２７】
一方、第１のステータスが未実行である場合（Ｓ６１のＹｅｓ）、素材管理部１３０はＣＭ素材のアップロードを可とする。例えば、素材管理部１３０は、ユーザ操作を受付けるユーザインターフェイス画面において、ＣＭ素材のアップロードを指示するボタンを選択可な状態にしてもよい。
【０１２８】
Ｓ６１でＹｅｓとなった場合、その後、制作会社は、１つのＣＭ識別情報が指定された状態で、所定のＣＭ素材をアップロードする入力を行う。処理装置１００は、当該ＣＭ素材のアップロード入力を受付ける（Ｓ６３）。
【０１２９】
そして、Ｓ６０で指定されたＣＭ識別情報に対応付けてＣＭ素材が記憶されている場合（Ｓ６４のＹｅｓ）、素材管理部１３０はそのＣＭ識別情報に対応付けて記憶させるＣＭ素材を、Ｓ６３のアップロード入力に応じて新たに取得したＣＭ素材に更新する（Ｓ６５）。
【０１３０】
その後、Ｓ６０で指定されたＣＭ識別情報に対応付けてオンライン認証情報が記憶されている場合（Ｓ６６のＹｅｓ）、削除部１４４は、Ｓ６０で指定されたＣＭ識別情報に対応付けて記憶されているオンライン認証情報を削除する（Ｓ６７）。
【０１３１】
Ｓ６０で指定されたＣＭ識別情報に対応付けてオンライン認証情報が記憶されていない場合（Ｓ６６のＮｏ）、削除部１４４によるオンライン認証情報の削除が実行されないまま、処理が終了する。
【０１３２】
また、Ｓ６０で指定されたＣＭ識別情報に対応付けてＣＭ素材が記憶されていない場合（Ｓ６４のＮｏ）、素材管理部１３０はＳ６３のアップロード入力に応じて取得したＣＭ素材を、Ｓ６０で指定されたＣＭ識別情報に対応付けて素材記憶部に記憶させる（Ｓ６８）。
【０１３３】
以上説明した本実施形態の処理装置１００によれば、第１の実施形態と同様な作用効果を実現できる。
【０１３４】
また、本実施形態の処理装置１００によれば、第１のＣＭ識別情報に対応付けてＣＭ素材を記憶した後に、ＣＭ素材の再アップロードを受付け、第１のＣＭ識別情報に対応付けて記憶するＣＭ素材を新たなＣＭ素材に更新することができる。この機能を利用することで、制作会社は、先に処理装置１００に記憶させたＣＭ素材に問題が見つかった場合、その後に問題を解決したＣＭ素材を再アップロードすることで、処理装置１００に記憶させたＣＭ素材を差し替えることができる。
【０１３５】
また、本実施形態の処理装置１００によれば、再アップロードは、Ｓ１１２乃至Ｓ１１７のオンライン認証等を実行した後も可能とする。このようにすることで、再アップロードのタイミングの自由度が高まる。
【０１３６】
なお、本実施形態の処理装置１００は、Ｓ１１２乃至Ｓ１１７のオンライン認証等を実行した後の再アップロードは、第１のステータスを未実行に変更した後のみ可能とする。そして、第１のステータスを実行済みから未実行に変更した場合、処理装置１００はそのＣＭ識別情報に対応付けて記憶されているオンライン認証情報を削除する。このため、更新されたＣＭ素材が更新直後から搬入可能な状態となる不都合を回避できる。結果、更新されたＣＭ素材は、必ず、図２のＳ１１２乃至Ｓ１１７が実行された後に搬入されることとなる。
【０１３７】
＜第６の実施形態＞
まず、本実施形態の処理装置１００の概要を説明する。テレビＣＭのオンライン運用に関する技術の全体像や処理の流れの一例は、第１の実施形態で説明した通りである。また、本実施形態の処理装置１００は、第５の実施形態と同様の構成を有する。
【０１３８】
第５の実施形態の構成とした場合においても、第３の実施形態で説明した問題、すなわち各放送局に搬入された同一のＣＭ識別情報に関するＣＭ素材の内容が互いに異なるという問題が発生し得る。
【０１３９】
当該問題を解決するため、本実施形態の処理装置１００は、第１のステータスを実行済みから未実行に変更するタイミングにおいて、先に処理装置１００に記憶されたＣＭ素材を既にいずれかの放送局の送受信サーバに搬入済みである場合、第１のステータスの変更を実行しない。
【０１４０】
以下、処理装置１００の構成を説明する。処理装置１００のハードウエア構成の一例は、第１乃至第５の実施形態と同様である。
【０１４１】
処理装置１００の機能ブロック図の一例は、第５の実施形態同様、図１３で示される。図示するように、処理装置１００は、素材管理部１３０と、承認受付部１４１と、承認通知部１４２と、オンライン認証情報登録部１４３と、搬入指示取得部１５１と、搬入部１５２と、削除部１４４と、ステータス管理部１７０とを有する。素材管理部１３０、承認受付部１４１、承認通知部１４２、オンライン認証情報登録部１４３、搬入指示取得部１５１及び搬入部１５２の構成は、第１乃至第５の実施形態と同様である。
【０１４２】
ステータス管理部１７０は、第５の実施形態同様、ユーザ入力に応じて第１のステータスを変更する。しかし、ステータス管理部１７０は、第１のＣＭ識別情報における第１のステータスを変更する入力を受付けた場合において、第１のＣＭ識別情報に対応付けて記憶されているＣＭ素材を搬入する処理がそれまでに一度でも実行されている場合、第１のステータスの変更を実行しない。ステータス管理部１７０のその他の構成は、第５の実施形態と同様である。
【０１４３】
次に、図１６のフローチャートを用いて、処理装置１００の処理の流れの一例を説明する。
【０１４４】
例えば、制作会社は、素材搬入事業者が提供するウェブページにアクセスし、素材搬入事業者が提供するシステムにログインする。そして、制作会社は、当該システムが提供する機能を利用して、１つのＣＭ識別情報を指定する。処理装置１００は、当該ＣＭ識別情報の指定を受付ける（Ｓ７０）。そして、制作会社は、１つのＣＭ識別情報が指定された状態で、第１のステータスを実行済みから未実行に変更する入力を行う。処理装置１００は当該入力を受付ける（Ｓ７１）。
【０１４５】
すると、ステータス管理部１７０は、Ｓ７０で指定されたＣＭ識別情報に対応付けて記憶されているＣＭ素材を搬入する処理がそれまでに一度でも実行されている確認する。例えば、ＣＭ素材が搬入される毎に、搬入日時と搬入されたＣＭ素材を識別する情報とを示す搬入履歴が更新されてもよい。そして、ステータス管理部１７０は当該搬入履歴に基づき、上記確認を実現してもよい。
【０１４６】
記憶されているＣＭ素材を搬入する処理がそれまでに一度でも実行されている場合（Ｓ７２のＹｅｓ）、ステータス管理部１７０はＳ７１で受付けた第１のステータスの変更を実行しない（Ｓ７３）。この場合、ステータス管理部１７０は、「記憶されているＣＭ素材は既に搬入済みであるため、第１のステータスの変更はできません。」等のメッセージを出力してもよい。
【０１４７】
記憶されているＣＭ素材を搬入する処理がそれまでに一度も実行されていない場合（Ｓ７２のＮｏ）、ステータス管理部１７０はＳ７１で受付けた第１のステータスの変更を実行する（Ｓ７４）。そして、削除部１４４は、Ｓ７０で指定されたＣＭ識別情報に対応付けて記憶されているオンライン認証情報を削除する（Ｓ７５）。
【０１４８】
変形例として、Ｓ７０で１つのＣＭ識別情報が指定されると、ステータス管理部１７０は、Ｓ７２の判断を行ってもよい。そして、Ｓ７２でＹｅｓとなった場合、ステータス管理部１７０は、ユーザ操作を受付けるユーザインターフェイス画面において、第１のステータスの変更を指示するボタンを選択不可な状態にしてもよい。一方、Ｓ７２でＮｏとなった場合、ステータス管理部１７０は、ユーザ操作を受付けるユーザインターフェイス画面において、第１のステータスの変更を指示するボタンを選択可な状態にしてもよい。
【０１４９】
以上説明した本実施形態の処理装置１００によれば、第１及び第５の実施形態と同様な作用効果を実現できる。
【０１５０】
また、本実施形態の処理装置１００によれば、第１のステータスの変更を行うタイミングにおいて、先に処理装置１００に記憶されたＣＭ素材を既にいずれかの放送局の送受信サーバに搬入済みである場合、第１のステータスの変更を実行しない。かかる場合、先に処理装置１００に記憶されたＣＭ素材が他のＣＭ素材に差替えられることはない。結果、各放送局に搬入された同一のＣＭ識別情報に関するＣＭ素材の内容が互いに異なるという状況を回避できる。
【０１５１】
＜第７の実施形態＞
まず、本実施形態の処理装置１００の概要を説明する。テレビＣＭのオンライン運用に関する技術の全体像や処理の流れの一例は、第１の実施形態で説明した通りである。また、本実施形態の処理装置１００は、第５の実施形態と同様の構成を有する。
【０１５２】
本実施形態の処理装置１００は、第６の実施形態で説明した問題を、第６の実施形態と異なる手段で解決する。具体的には、処理装置１００は、第１のステータスの変更を行うタイミングにおいて、先に処理装置１００に記憶したＣＭ素材を既にいずれかの放送局の送受信サーバに搬入済みである場合、第１のステータスの変更を行ってよいか確認するメッセージを出力し、実行して良い旨の入力を受付けた後に変更を実行する。
【０１５３】
以下、処理装置１００の構成を説明する。処理装置１００のハードウエア構成の一例は、第１乃至第６の実施形態と同様である。
【０１５４】
処理装置１００の機能ブロック図の一例は、第５及び第６の実施形態同様、図１３で示される。図示するように、処理装置１００は、素材管理部１３０と、承認受付部１４１と、承認通知部１４２と、オンライン認証情報登録部１４３と、搬入指示取得部１５１と、搬入部１５２と、削除部１４４と、ステータス管理部１７０とを有する。素材管理部１３０、承認受付部１４１、承認通知部１４２、オンライン認証情報登録部１４３、搬入指示取得部１５１及び搬入部１５２の構成は、第１乃至第６の実施形態と同様である。
【０１５５】
ステータス管理部１７０は、第５及び第６の実施形態同様、ユーザ入力に応じて第１のステータスを変更する。しかし、ステータス管理部１７０は、第１のＣＭ識別情報における第１のステータスを変更する入力を受付けた場合において、第１のＣＭ識別情報に対応付けて記憶されているＣＭ素材を搬入する処理がそれまでに一度でも実行されている場合、第１のステータスの変更を実行してよいか確認するメッセージを出力し、実行してよい旨の入力を受付けた後に第１のステータスの変更を実行する。ステータス管理部１７０のその他の構成は、第５の実施形態と同様である。
【０１５６】
次に、図１７のフローチャートを用いて、処理装置１００の処理の流れの一例を説明する。
【０１５７】
例えば、制作会社は、素材搬入事業者が提供するウェブページにアクセスし、素材搬入事業者が提供するシステムにログインする。そして、制作会社は、当該システムが提供する機能を利用して、１つのＣＭ識別情報を指定する。処理装置１００は、当該ＣＭ識別情報の指定を受付ける（Ｓ８０）。そして、制作会社は、１つのＣＭ識別情報が指定された状態で、第１のステータスを実行済みから未実行に変更する入力を行う。処理装置１００は当該入力を受付ける（Ｓ８１）。
【０１５８】
すると、ステータス管理部１７０は、Ｓ８０で指定されたＣＭ識別情報に対応付けて記憶されているＣＭ素材を搬入する処理がそれまでに一度でも実行されている確認する。例えば、ＣＭ素材が搬入される毎に、搬入日時と搬入されたＣＭ素材を識別する情報とを示す搬入履歴が更新されてもよい。そして、素材管理部１３０は当該搬入履歴に基づき、上記確認を実現してもよい。
【０１５９】
記憶されているＣＭ素材を搬入する処理がそれまでに一度でも実行されている場合（Ｓ８２のＹｅｓ）、ステータス管理部１７０は第１のステータスを変更してよいか確認するメッセージを出力し、変更してよいか否かの回答を受付ける（Ｓ８３）。例えば、ステータス管理部１７０は、「第１のステータスを未実行に変更すると、記憶されているＣＭ素材の更新が可能となります。しかし、記憶されているＣＭ素材は既に搬入済みです。第１のステータスの変更を実行してもよいですか？はい／いいえ」等のメッセージを出力し、「はい」又は「いいえ」の入力を受付けてもよい。
【０１６０】
回答が変更不可である場合（Ｓ８４のＮｏ）、ステータス管理部１７０はＳ８１で受付けた第１のステータスの変更を実行しない（Ｓ８５）。
【０１６１】
一方、回答が変更可である場合（Ｓ８４のＹｅｓ）、ステータス管理部１７０はＳ８１で受付けた第１のステータスの変更を実行する（Ｓ８６）。そして、削除部１４４は、Ｓ８０で指定されたＣＭ識別情報に対応付けて記憶されているオンライン認証情報を削除する（Ｓ８７）。
【０１６２】
記憶されているＣＭ素材を搬入する処理がそれまでに一度も実行されていない場合（Ｓ８２のＮｏ）、ステータス管理部１７０はＳ８１で受付けた第１のステータスの変更を実行する（Ｓ８６）。そして、削除部１４４は、Ｓ８０で指定されたＣＭ識別情報に対応付けて記憶されているオンライン認証情報を削除する（Ｓ８７）。
【０１６３】
以上説明した本実施形態の処理装置１００によれば、第１及び第５の実施形態と同様な作用効果を実現できる。
【０１６４】
また、本実施形態の処理装置１００によれば、第１のステータスの変更を行うタイミングにおいて、先に処理装置１００に記憶されたＣＭ素材を既にいずれかの放送局の送受信サーバに搬入済みである場合、変更してよいか確認するメッセージを出力し、変更してよい旨の入力を受付けた後に更新を実行する。このため、各放送局に搬入された同一のＣＭ識別情報に関するＣＭ素材の内容が互いに異なるという状況がユーザの意図しない間に起きる不都合を抑制できる。
【０１６５】
以下、参考形態の例を付記する。
１．  ＣＭ素材を取得し、前記ＣＭ素材を所定のＣＭ識別情報に対応付けて素材記憶手段に記憶させる素材管理手段と、
前記素材記憶手段に記憶されている前記ＣＭ素材を承認する入力を受付ける承認受付手段と、
前記ＣＭ素材が承認されたことをＣＭ管理システムに通知し、前記ＣＭ管理システムからオンライン認証情報を取得する承認通知手段と、
前記オンライン認証情報を前記ＣＭ識別情報に対応付けて情報記憶手段に記憶させるオンライン認証情報登録手段と、
前記ＣＭ管理システムから、前記オンライン認証情報を含む搬入指示を取得する搬入指示取得手段と、
前記情報記憶手段に記憶されている情報に基づき、前記搬入指示に含まれる前記オンライン認証情報に対応付けて記憶されている前記ＣＭ素材を特定し、特定した前記ＣＭ素材を送受信サーバに搬入する搬入手段と、
前記情報記憶手段に記憶されている所定の前記オンライン認証情報を削除する削除手段と、
を有する処理装置。
２．  １に記載の処理装置において、
前記素材管理手段は、
前記素材記憶手段において第１の前記ＣＭ識別情報に対応付けて前記ＣＭ素材が記憶されている状態で、前記第１のＣＭ識別情報に対応付けて前記素材記憶手段に記憶させる新たな前記ＣＭ素材を取得した場合、前記素材記憶手段において前記第１のＣＭ識別情報に対応付けて記憶させる前記ＣＭ素材を新たに取得した前記ＣＭ素材に更新する処理装置。
３．  ２に記載の処理装置において、
前記素材管理手段は、前記素材記憶手段に記憶されている更新前の前記ＣＭ素材を搬入する処理がそれまでに一度でも実行されている場合、前記更新を実行しない処理装置。
４．  ２に記載の処理装置において、
前記素材管理手段は、前記素材記憶手段に記憶されている更新前の前記ＣＭ素材を搬入する処理がそれまでに一度でも実行されている場合、更新してよいか確認するメッセージを出力し、更新してよい旨の入力を受付けた後に前記更新を実行する処理装置。
５．  ２から４のいずれかに記載の処理装置において、
前記削除手段は、前記第１のＣＭ識別情報に対応付けて記憶されている前記ＣＭ素材が更新された場合、前記第１のＣＭ識別情報に対応付けて記憶されている前記オンライン認証情報を削除する処理装置。
６．  １に記載の処理装置において、
前記オンライン認証情報登録手段による前記オンライン認証情報を前記ＣＭ識別情報に対応付けて前記情報記憶手段に記憶させる処理のステータスを前記ＣＭ識別情報毎に管理するステータス管理手段を有し、
前記素材管理手段は、
第１の前記ＣＭ識別情報における前記ステータスが未実行の場合、前記第１のＣＭ識別情報に対応付けて前記素材記憶手段に記憶させる前記ＣＭ素材の取得を実行し、
前記第１のＣＭ識別情報における前記ステータスが実行済みの場合、前記第１のＣＭ識別情報に対応付けて前記素材記憶手段に記憶させる前記ＣＭ素材の取得を実行しない処理装置。
７．  ６に記載の処理装置において、
前記ステータス管理手段は、ユーザ入力に応じて前記ステータスを変更する処理装置。
８．  ７に記載の処理装置において、
前記ステータス管理手段は、前記第１のＣＭ識別情報に対応付けて記憶されている前記ＣＭ素材を搬入する処理がそれまでに一度でも実行されている場合、前記ステータスの変更を実行しない処理装置。
９．  ７に記載の処理装置において、
前記ステータス管理手段は、前記第１のＣＭ識別情報に対応付けて記憶されている前記ＣＭ素材を搬入する処理がそれまでに一度でも実行されている場合、前記ステータスの変更を実行してよいか確認するメッセージを出力し、実行してよい旨の入力を受付けた後に前記ステータスの変更を実行する処理装置。
１０．  ７から９のいずれかに記載の処理装置において、
前記削除手段は、前記第１のＣＭ識別情報における前記ステータスが実行済みから未実行に変更された場合、前記第１のＣＭ識別情報に対応付けて記憶されている前記オンライン認証情報を削除する処理装置。
１１．  コンピュータが、
ＣＭ素材を取得し、前記ＣＭ素材を所定のＣＭ識別情報に対応付けて素材記憶手段に記憶させる素材管理工程と、
前記素材記憶手段に記憶されている前記ＣＭ素材を承認する入力を受付ける承認受付工程と、
前記ＣＭ素材が承認されたことをＣＭ管理システムに通知し、前記ＣＭ管理システムからオンライン認証情報を取得する承認通知工程と、
前記オンライン認証情報を前記ＣＭ識別情報に対応付けて情報記憶手段に記憶させるオンライン認証情報登録工程と、
前記ＣＭ管理システムから、前記オンライン認証情報を含む搬入指示を取得する搬入指示取得工程と、
前記情報記憶手段に記憶されている情報に基づき、前記搬入指示に含まれる前記オンライン認証情報に対応付けて記憶されている前記ＣＭ素材を特定し、特定した前記ＣＭ素材を送受信サーバに搬入する搬入工程と、
前記情報記憶手段に記憶されている所定の前記オンライン認証情報を削除する削除工程と、
を実行する処理方法。
１２．  コンピュータを、
ＣＭ素材を取得し、前記ＣＭ素材を所定のＣＭ識別情報に対応付けて素材記憶手段に記憶させる素材管理手段、
前記素材記憶手段に記憶されている前記ＣＭ素材を承認する入力を受付ける承認受付手段、
前記ＣＭ素材が承認されたことをＣＭ管理システムに通知し、前記ＣＭ管理システムからオンライン認証情報を取得する承認通知手段、
前記オンライン認証情報を前記ＣＭ識別情報に対応付けて情報記憶手段に記憶させるオンライン認証情報登録手段、
前記ＣＭ管理システムから、前記オンライン認証情報を含む搬入指示を取得する搬入指示取得手段、
前記情報記憶手段に記憶されている情報に基づき、前記搬入指示に含まれる前記オンライン認証情報に対応付けて記憶されている前記ＣＭ素材を特定し、特定した前記ＣＭ素材を送受信サーバに搬入する搬入手段、
前記情報記憶手段に記憶されている所定の前記オンライン認証情報を削除する削除手段、
として機能させるプログラム。
【符号の説明】
【０１６６】
１Ａ    プロセッサ
２Ａ    メモリ
３Ａ    入出力Ｉ／Ｆ
４Ａ    周辺回路
５Ａ    バス
１００  処理装置
１３０  素材管理部
１４１  承認受付部１
１４２  承認通知部
１４３  オンライン認証情報登録部
１４４  削除部
１５１  搬入指示取得部
１５２  搬入部
１７０  ステータス管理部
【図１】
2019212005.tif 000003
【図２】
2019212005.tif 000004
【図３】
2019212005.tif 000005
【図４】
2019212005.tif 000006
【図５】
2019212005.tif 000007
【図６】
2019212005.tif 000008
【図７】
2019212005.tif 000009
【図８】
2019212005.tif 000010
【図９】
2019212005.tif 000011
【図１０】
2019212005.tif 000012
【図１１】
2019212005.tif 000013
【図１２】
2019212005.tif 000014
【図１３】
2019212005.tif 000015
【図１４】
2019212005.tif 000016
【図１５】
2019212005.tif 000017
【図１６】
2019212005.tif 000018
【図１７】
2019212005.tif 000019